(57)【特許請求の範囲】
【請求項１】
照明器具本体の側壁に設けられた縦長の溝穴に嵌め込まれて上下スライド自在に取付けられ、溝穴の下端部において器具本体と天井材との間で突っ張り係止して器具本体を天井に取付ける取付具であって、次の要件を具備することを特徴とする天井埋め込み型照明器具の取付具。
（ｉ）上記天井材に突っ張り係止する天井係止部を有すること。
（ｉｉ）上端部に、上記器具本体の側壁外面に弾性的に接触する外側バネ部を有すること。
（ｉｉｉ）この外側バネ部に対向して側壁内面に弾性的に接触する内側バネ部を有すること。
（ｉｖ）上記外側及び内側両バネ部の側壁に対する接触点よりも器具本体内側において下向きの操作力を加えられる操作片を有すること。
（ｖ）上記内側バネ部は、第１及び第２両接触点と、この両接触点を結ぶ接触辺を有すること。
（ｖｉ）上記操作片に操作力が加えられない状態では、上記第１接触点が側壁内面に接触して上記天井係止部が側壁に沿う垂下状態となり、下向きの操作力が加えられると上記第１接触点を支点に外向きに張り出されて上記接触辺が側壁内面に接触し、上記天井係止部が天井材に突っ張り係止した状態で突っ張り反力により上記第２接触点を支点にさらに外向きに回動すること。
【請求項２】
内側バネ部が器具本体側壁と直交する向きで設けられたことを特徴とする請求項１記載の天井埋め込み型照明器具の取付具。
【請求項３】
内側バネ部は、外側バネ部と連なる基端側部分と、この基端側部分の上端からクランク状に屈曲して連続形成された先端側部分とから成り、この先端側部分に第１及び第２両接触点と接触辺が設けられたことを特徴とする請求項１または２記載の天井埋め込み型照明器具の取付具。
【請求項４】
操作片が外側バネ部の上端から器具本体内側に突出する状態で設けられ、この操作片に、外側バネ部を外向きに押して外側バネ部を器具本体の側壁外面から離間させる固定解除操作部が設けられたことを特徴とする請求項１乃至３のいずれかに記載の天井埋め込み型照明器具の取付具。
【請求項５】
内側バネ部に、天井係止部が天井材に突っ張り係止した状態で固定解除操作部よりも器具本体内側に突出して固定解除操作部を防護する防護部が設けられたことを特徴とする請求項４記載の天井埋め込み型照明器具の取付具。
【請求項６】
操作片に、器具本体の本体中心まわりの回転に抵抗する方向の内側バネ部の弾性変形量を規制する内側バネ部当たりが設けられたことを特徴とする請求項４または５記載の天井埋め込み型照明器具の取付具。
【請求項７】
内側バネ部に、操作片の下向きの弾性変形量を規制するストッパ部が設けられたことを特徴とする請求項１乃至６のいずれかに記載の天井埋め込み型照明器具の取付具。
【請求項８】
天井係止部、外側バネ部、内側バネ部、操作片が板バネ材によって一連一体に形成されたことを特徴とする請求項１乃至７のいずれかに記載の天井埋め込み型照明器具の取付具。
【請求項９】
外側バネ部及び内側バネ部が、器具本体側壁の溝穴を挟んだ両側部分に接触するようにそれぞれ対称配置で一対設けられたことを特徴とする請求項１乃至８のいずれかに記載の天井埋め込み型照明器具の取付具。
【請求項１０】
器具本体と、この器具本体を天井に埋め込み状態で取付ける取付具とを具備し、上記器具本体の側壁には縦方向の溝穴が設けられてこの溝穴に上記取付具が嵌め込まれ、この取付具は、
▲１▼  内側及び外側両バネ部と天井係止部とを備え、
▲２▼  上記内側バネ部には、接触辺と接触点が設けられ、
▲３▼  上記外側バネ部が器具本体の側壁外面に、上記内側バネ部の接触辺が側壁内面にそれぞれ接触する状態で器具本体外に張り出されて上記天井係止部が天井材に突っ張り係止し、
▲４▼  この突っ張り係止状態での突っ張り反力により、上記内側バネ部の接触点が側壁内面に接触し、ここを支点として取付具全体がさらに外向きに回動する
ように構成されたことを特徴とする天井埋め込み型照明器具。
【発明の詳細な説明】
【０００１】
【発明の属する技術分野】
本発明は天井に埋め込み状態で取付けられる天井埋め込み型照明器具及びその取付具に関するものである。
【０００２】
【従来の技術】
従来、この種の取付具として、特公平１−４３９６４号公報に示されたものが公知である。これを図６，７によって説明する。
【０００３】
取付具Ａは、金属板（薄い板バネ材）を大略コの字形に曲げ加工することによって全体がくちばし状に形成され、照明器具本体１の側壁１ａに設けられた縦長の溝穴２に幅広の窓穴３を介して挿入される。
【０００４】
この取付具Ａには、上端部に、バネ性を備えた係止バネ部４と、これに対向するガイド片５が設けられ、図示のように係止バネ部４が器具本体１の外側、ガイド片５が内側にそれぞれ位置する状態でこれらの間に本体側壁１ａを挟み込んだ状態で外向きに張り出され、かつ、スライド操作されて本体下端部まで下ろされる。
【０００５】
そして、この張り出しかつ下降状態で、取付具Ａの下端部（天井係止部）６が天井材７に突っ張り係止し、その反力を係止バネ部４と本体側壁１ａの接触部分で支持することにより、器具本体１が天井内に取付けられる。
【０００６】
【発明が解決しようとする課題】
ところが、この公知技術によると、次の欠点があった。
【０００７】
▲１▼  取付具Ａの開き側の幅寸法を溝穴２の幅寸法よりも少し大きめに形成し、この寸法差分、取付具Ａのバネ力を働かして取付具Ａを溝穴２に保持する構成をとっている。
【０００８】
この構成によると、上記保持力が常時働くため、器具本体１を天井材７の器具取付穴８に下から挿入する際は取付具Ａを本体側壁１ａに沿う垂下状態とし、挿入後、外向きに押し出す操作と、天井材７に向けて下降させる操作が必要となる。
【０００９】
この二つの操作を狭い本体１内で行わなければならないため、操作性が悪いものとなっていた。
【００１０】
▲２▼  天井係止部６を天井材７に圧接させ、その反力を係止バネ部４と本体側壁１ａで受ける構成をとるこの取付具Ａによると、器具固定力は係止バネ部４のバネ力に左右される。しかし、この係止バネ部４に確保しうるバネ力には限界があるため、必ずしも十分な固定力が得られない。このため、取付後の振動等によって取付具Ａが天井材７から外れるおそれがあり、器具取付状態の安定性が低くなる。
【００１１】
そこで本発明は、上記した操作性と器具取付状態の安定性の双方の問題を一挙に解決し、操作が簡単で、しかも安定した器具取付状態を得ることができる天井埋め込み型照明器具の取付具を提供するものである。
【００１２】
また本発明は、安定した器具取付状態を得ることができる天井埋め込み型照明器具を提供するものである。
【００１３】
【課題を解決するための手段】
請求項１の発明（天井埋め込み型照明器具の取付具）は、照明器具本体の側壁に設けられた縦長の溝穴に嵌め込まれて上下スライド自在に取付けられ、溝穴の下端部において器具本体と天井材との間で突っ張り係止して器具本体を天井に取付ける取付具であって、次の要件を具備するものである。
【００１４】
（ｉ）上記天井材に突っ張り係止する天井係止部を有すること。
【００１５】
（ｉｉ）上端部に、上記器具本体の側壁外面に弾性的に接触する外側バネ部を有すること。
【００１６】
（ｉｉｉ）この外側バネ部に対向して側壁内面に弾性的に接触する内側バネ部を有すること。
【００１７】
（ｉｖ）上記外側及び内側両バネ部の側壁に対する接触点よりも器具本体内側において下向きの操作力を加えられる操作片を有すること。
【００１８】
（ｖ）上記内側バネ部は、第１及び第２両接触点と、この両接触点を結ぶ接触辺を有すること。
【００１９】
（ｖｉ）上記操作片に操作力が加えられない状態では、上記第１接触点が側壁内面に接触して上記天井係止部が側壁に沿う垂下状態となり、下向きの操作力が加えられると上記第１接触点を支点に外向きに張り出されて上記接触辺が側壁内面に接触し、上記天井係止部が天井材に突っ張り係止した状態で突っ張り反力により上記第２接触点を支点にさらに外向きに回動すること。
【００２０】
請求項２の発明は、請求項１の構成において、内側バネ部が器具本体側壁と直交する向きで設けられたものである。
【００２１】
請求項３の発明は、請求項１または２の構成において、内側バネ部は、外側バネ部と連なる基端側部分と、この基端側部分の上端からクランク状に屈曲して連続形成された先端側部分とから成り、この先端側部分に第１及び第２両接触点と接触辺が設けられたものである。
【００２２】
請求項４の発明は、請求項１乃至３のいずれかの構成において、操作片が外側バネ部の上端から器具本体内側に突出する状態で設けられ、この操作片に、外側バネ部を外向きに押して外側バネ部を器具本体の側壁外面から離間させる固定解除操作部が設けられたものである。
【００２３】
請求項５の発明は、請求項４の構成において、内側バネ部に、天井係止部が天井材に突っ張り係止した状態で固定解除操作部よりも器具本体内側に突出して固定解除操作部を防護する防護部が設けられたものである。
【００２４】
請求項６の発明は、請求項４または５の構成において、操作片に、器具本体の本体中心まわりの回転に抵抗する方向の内側バネ部の弾性変形量を規制する内側バネ部当たりが設けられたものである。
【００２５】
請求項７の発明は、請求項１乃至６のいずれかの構成において、内側バネ部に、操作片の下向きの弾性変形量を規制するストッパ部が設けられたものである。
【００２６】
請求項８の発明は、請求項１乃至７のいずれかの構成において、天井係止部、外側バネ部、内側バネ部、操作片が板バネ材によって一連一体に形成されたものである。
【００２７】
請求項９の発明は、請求項１乃至８のいずれかの構成において、外側バネ部及び内側バネ部が、器具本体側壁の溝穴を挟んだ両側部分に接触するようにそれぞれ対称配置で一対設けられたものである。
【００２８】
請求項１０の発明（天井埋め込み型照明器具）は、器具本体と、この器具本体を天井に埋め込み状態で取付ける取付具とを具備し、上記器具本体の側壁には縦方向の溝穴が設けられてこの溝穴に上記取付具が嵌め込まれ、この取付具は、
▲１▼  内側及び外側両バネ部と天井係止部とを備え、
▲２▼  上記内側バネ部には、接触辺と接触点が設けられ、
▲３▼  上記外側バネ部が器具本体の側壁外面に、上記内側バネ部の接触辺が側壁内面にそれぞれ接触する状態で器具本体外に張り出されて上記天井係止部が天井材に突っ張り係止し、
▲４▼  この突っ張り係止状態での突っ張り反力により、上記内側バネ部の接触点が側壁内面に接触し、ここを支点として取付具全体がさらに外向きに回動する
ように構成されたものである。
【００２９】
請求項１乃至９の構成によると、内側バネ部が器具本体の側壁内面に、外側バネ部が外面にそれぞれ接することによって取付具全体が垂下状態に保持され、操作片に下向きの操作力が加えられることによって下降する。
【００３０】
このとき、操作片が、両バネ部の側壁に対する接触点（支点）よりも内側において操作力を加えられる構成となっているため、取付具全体に下降力と同時に外向きの押し出し力が作用する。
【００３１】
これにより、取付具が下降しながら自動的に張り出され、そのまま天井係止部が天井材に突っ張り係止して固定される。従って、下降操作と張り出し操作を別々に行う必要がないため、操作が簡単となる。
【００３２】
また、本体側壁内面に対する内側バネ部の接触部分が、下降操作前は第１接触点、下降操作（張り出し操作）されると接触辺、天井係止部が天井材に当たると第２接触点というように移動し、突っ張り係止状態で第２接触点を支点にさらに外向きに回動して最大のバネ力が作用する。
【００３３】
このように、バネ力が、下降操作前が最小で操作の進行とともに増加するため、操作抵抗を小さく抑えながら最終的に強固で安定した器具取付状態を得ることができる。
【００３４】
すなわち、良好な操作性と器具取付状態の安定性の双方を両立させることができる。
【００３５】
また、請求項２の構成によると、内側バネ部が、通常の板バネとは向きが９０゜異なる、包丁の刃を当てるように本体側壁に接する状態でバネ力を発揮するため、上記支点（第１接触点、接触辺、第２接触点）の移動がスムースかつ確実に行われる。
【００３６】
請求項３の構成によると、内側バネ部に、ねじり（クランク）を加えることによってバネ性を付与しているため、高いバネ性が得られ、この内側バネ部の永久ひずみの発生を防止することができる。
【００３７】
請求項４の構成によると、器具本体取付後の補修時等に、操作片の固定解除操作部を外向きに押して外側バネ部を本体側壁外面から離間させることにより、本体の固定状態を解除して器具本体を簡単に取外すことができる。
【００３８】
請求項５の構成によると、反射板等の本体内蔵物を着脱する際に、操作片の固定解除操作部が防護部によって本体内蔵物から防護されるため、同操作部が内蔵物により誤操作されて固定解除されてしまうおそれがない。
【００３９】
請求項６の構成によると、器具本体に回転力が加えられたときに、内側バネ部当たりにより内側バネ部のねじれを抑えて内側バネ部の変形を防止することができる。
【００４０】
請求項７の構成によると、操作片に過大な下向き操作力が加えられた場合に、ストッパ部によって操作片の変形を防止することができる。
【００４１】
請求項８の構成によると、取付具全体が一連一体に成形され、一部品として構成されるためコストが安くてすむ。
【００４２】
請求項９の構成によると、外側バネ部及び内側バネ部が対称に一対ずつ設けられているため、取付状態の安定性が良い。
【００４３】
一方、請求項１０の構成によると、天井係止部が天井材に突っ張り係止した状態で、その突っ張り反力により、上記内側バネ部の接触点を支点として取付具全体がさらに外向きに回動するため、強大なバネ力により強固で安定した器具取付状態を得ることができる。
【００４４】
【発明の実施の形態】
本発明の実施形態を図１〜図５によって説明する。
【００４５】
この実施形態にかかる取付具Ｂは、照明器具本体１１の側壁１１ａに設けられた縦長の溝穴１２に四角形の窓穴１３を介して挿入される。
【００４６】
この取付具Ｂは、下端部に、図２（ハ）に示す天井材１４に突っ張り係止する逆Ｖ字形に広がった天井係止部１５を有するとともに、上端部に、本体側壁１１ａの外面に弾性的に接触する一対の外側バネ部１６，１６が二股状に分かれて設けられ、これら天井係止部１５と外側バネ部１６，１６とが、断面コの字形に折り曲げられた中間部１７を介して連なっている。
【００４７】
なお、外側バネ部１６，１６の上端部１６ａ，１６ａは、側壁外面にできるだけ面接触状態で安定良く接触するように外向きに少し折り曲げられている。
【００４８】
外側バネ部１６，１６間には、溝穴１２に嵌まり込む狭幅の挿入部１８が設けられ、この挿入部１８の先端に内向きに延びる操作片１９が設けられている。
【００４９】
さらにこの操作片１９には、先端から下向きに延びる固定解除操作部１９ａが一体に設けられている。
【００５０】
一方、中間部１７の内側に連続して一対の内側バネ部２１，２１が設けられている。
【００５１】
この内側バネ部２１，２１は、中間部１７の両側折り曲げ部分に連なる基端側部分２２と、この基端側部分２２の上端からクランク状に屈曲して連続形成された先端側部分２３とから成っている。
【００５２】
この先端側部分２３は、本体側壁１１ａと直交する向きで設けられ、外側バネ部１６，１６と対向する高さ位置で本体側壁１１ａの内面に包丁の刃を当てる形で当接する。
【００５３】
これにより、内側バネ部２１，２１と外側バネ部１６，１６の間で本体側壁１１ａを弾性的に挟み込んだ状態で取付具Ｂが本体側壁１１ａに保持される。
【００５４】
内側バネ部２１，２１の先端側部分２３には、図３に示すように本体側壁１１ａに接する側に、上から順に、本体側壁内面に点接触する第１接触点Ｃ１と、線接触する接触辺Ｃ２と、点接触する第２接触点Ｃ３とが連続して設けられている。
【００５５】
また、図２，４に示すように、先端側部分２３における包丁の背に相当する部分に、操作片１９の下向きの弾性変形量を規制するストッパ部２３ａと、操作片１９よりも内側に突出する防護部２３ｂが設けられている。
【００５６】
なお、図５に示すように、操作片１９における固定解除操作部１９ａの左右両側に、内側バネ部２１，２１（直接には先端側部分２３，２３）に当接してその弾性変形量を規制する内側バネ当たり１９ｂ，１９ｂが設けられている。
【００５７】
上記構成を備えたこの取付具Ｂは、薄い板バネ材の打ち抜き・曲げ加工によって各部が一連一体に成形され、全体が単一部品として構成される。
【００５８】
この取付具Ｂの作用を次に説明する。
【００５９】
取付具Ｂは、図１及び図２（イ）に示すように内側バネ部２１，２１が器具本体１１内に位置し、外側バネ部１６，１６、中間部１７，天井係止部１５が器具本体１１外に位置するように溝穴１２に挿入される。
【００６０】
このとき、取付具Ｂは全体がほぼ垂直となって本体側壁１１ａに沿う垂下姿勢とされ、この状態で器具本体１１とともに天井材１４の取付穴１４ａを介して天井内に挿入される。
【００６１】
また、この状態で、前記したように本体側壁１１ａに対して外側バネ部１６が外側から、内側バネ部２１の先端側部分２３が内側からそれぞれ弾性的に接触してこれらの間に本体側壁１１ａが弾性的に挟み込まれ、この弾性接触部分のバネ力によって取付具Ｂが挿入位置に保持される。
【００６２】
このとき、先端側部分２３は、図２，３の（イ）に示すように第１接触点Ｃ１が本体側壁内面に接触した状態となる。
【００６３】
この挿入後、操作片１９を下向きに押すと、取付具Ｂ全体が溝穴１２に沿って下降する。
【００６４】
ここで、操作片１９は、弾性接触部分よりも内向き（器具本体内側）に突出しているため、この操作片１９に下向きの押圧力が加えられると、取付具Ｂ全体に下降力とともに外向きの回動力が働き、この力によって図２，３の（ロ）に示すように取付具Ｂ全体が外側に張り出される。
【００６５】
この張り出し状態で、同図に示すように第１接触点Ｃ１に代わって接触辺Ｃ２が本体側壁内面に接触する。
【００６６】
この状態で、図２，３の（ハ）に示すように取付具Ｂが溝穴１２の下端部まで移動して天井係止部１５が天井材１４の上面に係止する。
【００６７】
この後、さらに下降力を加えると、天井係止部１５が天井材１４に突っ張り係止し、この突っ張り反力により取付具Ｂが、第２接触点Ｃ３と内側バネ部１６の接触部分を支点としてさらに外向きに張り出され、この状態で取付具Ｂの動きが止められて器具本体１１が固定される。
【００６８】
このように、取付具Ｂが下降しながら自動的に張り出され、そのまま天井係止部１５が天井材１４に突っ張り係止して固定されるため、操作としては取付具Ｂを下向きに押すだけでよく、下降操作と張り出し操作を別々に行う必要がない。
【００６９】
しかも、本体側壁１１ａの内面に対する内側バネ部先端部分２３の接触部分が、下降操作前は第１接触点Ｃ１、下降操作（張り出し操作）されると接触辺Ｃ２、天井係止部１５が天井材１４に当たると第２接触点Ｃ３というように順次移動し、突っ張り係止状態で第２接触点Ｃ３を支点にさらに外向きに回動して最大のバネ力が作用する。
【００７０】
従って、バネ力が、下降操作前が最小で操作の進行とともに増加し、操作抵抗が小さくてすむため操作がさらに簡単となり、しかも最終的に強大なバネ力により強固で安定した器具取付状態を得ることができる。
【００７１】
この場合、外側バネ部１６及び内側バネ部２１が左右対称に一対ずつ設けられているため、取付状態の安定性が一層良いものとなる。
【００７２】
また、この取付具Ｂを用いることによって次の作用効果が得られる。
【００７３】
▲１▼  内側バネ部２１の先端側部分２３が、通常の板バネとは向きが９０゜異なる、包丁の刃を当てるように本体側壁１１ａの内面に接する状態でバネ力を発揮するため、支点（第１接触点Ｃ１、接触辺Ｃ２、第２接触点Ｃ３）の移動がスムースかつ確実に行われる。
【００７４】
▲２▼  内側バネ部２１の先端側部分２３に、ねじり（クランク）を加えることによってバネ性を付与しているため、高いバネ性が得られ、この先端側部分２３の永久ひずみの発生を防止することができる。
【００７５】
▲３▼  上記のようにして器具本体１１を取付た後の補修時等に、操作片１９の固定解除操作部１９ａを外向きに押すと、図３（ハ）中に仮想線で示すようにこの操作片１９に連なる外側バネ部１６が本体側壁１１ａの外面から離間するため、取付具Ｂの固定力、すなわち器具本体１１の固定状態を解除して同本体１１を簡単に取外すことができる。
【００７６】
▲４▼  内側バネ部先端側部分２３に防護部２３ｂが操作片１９よりも本体内側に突出して設けられているため、図２（ハ）中に仮想線で示すように、反射板２４等の本体内蔵物を着脱する際に、操作片１９の固定解除操作部１９ａが防護部２３ｂによってこの内蔵物から防護され、同操作部１９ａが内蔵物により誤操作されて取付具Ｂが固定解除されてしまうおそれがない。
【００７７】
▲５▼  操作片１９に過大な下向き操作力が加えられた場合に、図４に示すように固定解除操作部１９ａがストッパ部２３ａに当接することによって操作片１９の変形を防止することができる。
【００７８】
▲６▼  器具本体１１に向き調節等のための回転力（図５中に矢印で示す）が加えられた場合に、内側バネ部先端部分２３が固定解除操作部１９ａの内側バネ当たり１９ｂに当たってそのねじれが抑えられるため、内側バネ部２１の変形を防止することができる。
【００７９】
ところで、上記実施形態では、内側バネ部２１の先端側部分２３を、本体側壁内面に対し包丁の刃を当てるように本体側壁１１ａと直交する向きで設けたが、この先端側部分２３を、外側バネ部１６と同じ向きで設けてもよい。この場合でも、上記実施形態の第１接触点Ｃ１、接触辺Ｃ２、第２接触点Ｃ３に相当する接触部を設け、これらの間で支点を移動させることが可能である。
【００８０】
【発明の効果】
上記のように請求項１〜９の発明（取付具）によるときは、操作片を、両バネ部の側壁に対する接触点（支点）よりも内側において操作力を加えられる構成とし、取付具全体が下降しながら自動的に張り出され、そのまま天井係止部が天井材に突っ張り係止して固定されるようにしたから、下降操作と張り出し操作を別々に行う必要がなくなる。
【００８１】
また、本体側壁内面に対する内側バネ部の接触部分が、下降操作前は第１接触点、下降操作（張り出し操作）されると接触辺、天井係止部が天井材に当たると第２接触点というように移動し、突っ張り係止状態で第２接触点を支点にさらに外向きに回動して最大のバネ力が作用する構成、すなわち、バネ力が、下降操作前が最小で操作の進行とともに増加する構成としたから、操作抵抗を小さく抑えながら最終的に強固で安定した器具取付状態を得ることができる。
【００８２】
これにより、良好な操作性と器具取付状態の安定性の双方を両立させることができる。
【００８３】
また、請求項２の発明によると、内側バネ部が、通常の板バネとは向きが９０゜異なる、包丁の刃を当てるように本体側壁に接する状態でバネ力を発揮するため、上記支点（第１接触点、接触辺、第２接触点）の移動がスムースかつ確実に行われる。
【００８４】
請求項３の発明によると、内側バネ部に、ねじり（クランク）を加えることによってバネ性を付与しているため、高いバネ性が得られ、この内側バネ部の永久ひずみの発生を防止することができる。
【００８５】
請求項４の発明によると、器具本体取付後の補修時等に、操作片の固定解除操作部を外向きに押して外側バネ部を本体側壁外面から離間させることにより、本体の固定状態を解除して器具本体を簡単に取外すことができる。
【００８６】
請求項５の発明によると、反射板等の本体内蔵物を着脱する際に、操作片の固定解除操作部が防護部によって本体内蔵物から防護されるため、同操作部が内蔵物により誤操作されて固定解除されてしまうおそれがない。
【００８７】
請求項６の発明によると、器具本体に回転力が加えられたときに、内側バネ部当たりにより内側バネ部のねじれを抑えて内側バネ部の変形を防止することができる。
【００８８】
請求項７の発明によると、操作片に過大な下向き操作力が加えられた場合に、ストッパ部によって操作片の変形を防止することができる。
【００８９】
請求項８の発明によると、取付具全体が一連一体に成形され、一部品として構成されるためコストが安くてすむ。
【００９０】
請求項９の発明によると、外側バネ部及び内側バネ部が対称に一対ずつ設けられているため、取付状態の安定性が良い。
【００９１】
一方、請求項１０の発明によると、天井係止部が天井材に突っ張り係止した状態で、その突っ張り反力により、上記内側バネ部の接触点を支点として取付具全体がさらに外向きに回動するため、強大なバネ力により強固で安定した器具取付状態を得ることができる。
【図面の簡単な説明】
【図１】本発明の実施形態にかかる取付具の斜視図である。
【図２】（イ）（ロ）（ハ）は取付具による器具本体の取付手順を示す側面図である。
【図３】（イ）（ロ）（ハ）は図２（イ）（ロ）（ハ）に対応する取付具の部分拡大側面図である。
【図４】図３（ハ）の状態で操作片に過大な下向き操作力が作用した場合の操作片の変形量規制作用を説明するための図である。
【図５】取付具を器具本体の内側から見た図である。
【図６】従来の取付具の斜視図である。
【図７】同取付具による器具本体取付状態の側面図である。
【符号の説明】
１１  器具本体
１２  溝穴
１４  天井材
Ｂ  取付具
１５  天井係止部
１６，１６  内側バネ部
１９  操作片
１９ａ  固定解除操作部
１９ｂ  内側バネ部当たり
２１  内側バネ部
２２  内側バネ部の基端側部分
２３  同先端側部分
Ｃ１  第１接触点
Ｃ２  接触辺
Ｃ３  第２接触点
２３ａ  ストッパ部
２３ｂ  防護部
【図１】
0004268735.tif 000002
【図２】
0004268735.tif 000003
【図３】
0004268735.tif 000004
【図４】
0004268735.tif 000005
【図５】
0004268735.tif 000006
【図６】
0004268735.tif 000007
【図７】
0004268735.tif 000008